(57)【要約】      （修正有）【課題】ポケットに入れて移動できる、携帯が容易な財布型携帯用傘を提供する。【解決手段】グリップ部２３を含む傘２０であって、傘が収納される収納空間を含む収納部１１と、グリップ部と締結可能であり、収納部を開閉するカバー部１２を含むケース、および、グリップ部とカバー部を締結する結合ユニット３０を含む。カバー部が収納部と分離された後、カバー部が傘の長さ方向と垂直に配置された状態で、カバー部がグリップ部に巻き取られる。【選択図】図２
0003227074.tif 000002
【実用新案登録請求の範囲】
【請求項１】
グリップ部を含む傘；
前記傘が収納される収納空間を含む収納部と、前記グリップ部と締結可能であり、前記収納部を開閉するカバー部を含むケース；および
前記グリップ部と前記カバー部を締結する結合ユニット；を含む、財布型携帯用傘。
【請求項２】
前記カバー部が前記収納部と分離された後、
前記カバー部が前記傘の長さ方向と垂直に配置された状態で、前記カバー部が前記グリップ部に巻き取られる、請求項１に記載の財布型携帯用傘。
【請求項３】
前記結合ユニットは、
前記カバー部で前記グリップ部と向かい合う部分または前記グリップ部に固定される磁石部；および
前記カバー部または前記グリップ部のうち、前記磁石部が設置されていないところで前記磁石部と向かい合うように形成されるものの、前記磁石部が挿入可能に形成されて前記磁石部と磁力が発生する着脱溝；を含む、請求項２に記載の財布型携帯用傘。
【請求項４】
前記結合ユニットは、
前記グリップ部に固定され、上下の端部から互いに向かい合う方向に突出する翼部を含む差し込み部；および
前記カバー部で前記差し込み部と向かい合う部分に固定されて、前記翼部がスライディング方式で挿入されるスライディング溝を含むブロック部；を含む、請求項２に記載の財布型携帯用傘。
【請求項５】
前記傘は、
石突と連結される第１バーと、前記第１バーと回動可能に連結されて外側に延びる第２バーを含む骨；
前記第１バーの所定の長さに設置されるスプリング部；および
上端は前記第１バーの外側端部に連結され、下端はシャフトに連結されるスプレッダー；を含む、請求項１に記載の財布型携帯用傘。
【請求項６】
前記傘は、
石突と連結される第１バーと、前記第１バーと回動可能に連結されて外側に延びる第２バーを含む骨；
内部に前記第１バーを引き入れまたは引き出し可能であるように前記第１バーの外側端部に設置されるシリンダー部；および
上端は前記シリンダー部に連結され、下端はシャフトに連結されるスプレッダー；を含む、請求項１に記載の財布型携帯用傘。
【考案の詳細な説明】
【技術分野】
【０００１】
本考案は、全体のサイズがコンパクトで厚さがスリムであるため、ポケットに入れて移動できる、携帯が容易な財布型携帯用傘に関する。
【背景技術】
【０００２】
一般に傘とは、雨や雪が降る時に服や体に当たることを防止するために使われるものを指し、通常複数個の骨に支持される布によって雨や雪が人に直接当たることを防止するだけでなく、骨を屈曲するように形成して雨水が傘の外部に落ちるようにする。
【０００３】
従来の折り畳み式傘は、折り畳まれた傘を入れることができる布で作られた傘カバーが備えられているが、傘の使用時に傘カバーが傘と分離されるため、使用者はカバーの保管手段として手元の上側部分、すなわち支持台の役割をするポールの所定部位に縛って使用している。これは傘カバーの管理が不便であるだけでなく、紛失しやすく、美観上にも悪い。
【０００４】
また、従来の折り畳み式傘は、中間サイズ以上のカバンには入れて携帯することができるが、ミニバックやパウチ形態のカバンには収納することができず、携帯が容易でない問題点がある。それだけでなく、従来の折り畳み式傘は、カバンを持っていない使用者の場合には、傘を手に持って移動せざるを得ない不都合な点があった。
【先行技術文献】
【特許文献】
【０００５】
【特許文献１】大韓民国登録実用新案公報第２０−０３６４１４０号（２００４．０９．３０）
【考案の概要】
【考案が解決しようとする課題】
【０００６】
本考案は、ポケットに入れて移動できる財布の形態のコンパクトでスリムなケースを含んで、携帯が容易な財布型携帯用傘を提供するためのものである。
【０００７】
また、ケースのカバーを傘の把持部として使用できるようにして、カバーの紛失を防止し、携帯が容易な財布型携帯用傘を提供するためのものである。
【０００８】
また、コンパクトであるため携帯が容易に傘を保管できるとともに、骨の長さが可変できるため広げられた傘の大きさを増加させることができる財布型携帯用傘を提供するためのものである。
【課題を解決するための手段】
【０００９】
本考案の一実施例によると、グリップ部を含む傘；前記傘が収納される収納空間を含む収納部と、前記グリップ部と締結可能であり、前記収納部を開閉するカバー部を含むケース；および前記グリップ部と前記カバー部を締結する結合ユニット；を含む財布型携帯用傘を提供する。
【００１０】
また、前記カバー部が前記収納部と分離された後、前記カバー部が前記傘の長さ方向と垂直に配置された状態で、前記カバー部が前記グリップ部に巻き取られる財布型携帯用傘を提供することができる。
【００１１】
また、前記結合ユニットは、前記カバー部で前記グリップ部と向かい合う部分または前記グリップ部に固定される磁石部；および前記カバー部または前記グリップ部のうち、前記磁石部が設置されていないところで前記磁石部と向かい合うように形成されるものの、前記磁石部が挿入可能に形成されて、前記磁石部と磁力が発生する着脱溝；を含む財布型携帯用傘を提供することができる。
【００１２】
また、前記結合ユニットは、前記グリップ部に固定され、上下の端部から互いに向かい合う方向に突出する翼部を含む差し込み部；および前記カバー部で前記差し込み部と向かい合う部分に固定されて、前記翼部がスライディング方式で挿入されるスライディング溝を含むブロック部；を含む財布型携帯用傘を提供することができる。
【００１３】
また、前記傘は、石突と連結される第１バーと、前記第１バーと回動可能に連結されて外側に延びる第２バーを含む骨；前記第１バーの所定の長さに設置されるスプリング部；および上端は前記第１バーの外側端部に連結され、下端はシャフトに連結されるスプレッダー；を含む財布型携帯用傘を提供することができる。
【００１４】
また、前記傘は、石突と連結される第１バーと、前記第１バーと回動可能に連結されて外側に延びる第２バーを含む骨；内部に前記第１バーを引き入れまたは引き出し可能であるように前記第１バーの外側端部に設置されるシリンダー部；および上端は前記シリンダー部に連結され、下端はシャフトに連結されるスプレッダー；を含む財布型携帯用傘を提供することができる。
【考案の効果】
【００１５】
本考案の実施例によると、ポケットに入れて移動できる財布の形態のコンパクトでスリムなケースを含んで携帯が容易である。
【００１６】
また、ケースのカバーを傘の把持部として使用できるようにして、カバーの紛失を防止し、携帯が容易である。
【００１７】
また、コンパクトであるため携帯が容易に傘を保管できるとともに、骨の長さが可変できるため広げられた傘の大きさを増加させることができる。
【図面の簡単な説明】
【００１８】
【図１】本考案の一実施例に係る財布型携帯用傘を示した図面。
【図２】本考案の一実施例に係る財布型携帯用傘を示した図面。
【図３】本考案の一実施例に係る収納部を示した図面。
【図４】本考案の一実施例に係る結合ユニットを示した図面。
【図５】本考案の一実施例に係るカバー部がグリップ部に巻き取られたことを示した図面。
【図６】本考案の他の実施例に係る結合ユニットを示した図面。
【図７】本考案のさらに他の実施例に係る結合ユニットを示した図面。
【図８】本考案の一実施例に係る傘を示した図面。
【図９】本考案の一実施例に係る傘の骨の配置を示した図面。
【図１０】本考案の一実施例に係るスプリング部が含まれた骨を拡大した図面。
【図１１】本考案の一実施例に係るシリンダー部が含まれた骨を拡大した図面。
【考案を実施するための形態】
【００１９】
以下、図面を参照して本考案の具体的な実施形態を説明する。しかし、これは例示に過ぎず、本考案はこれに制限されない。
【００２０】
本考案の説明において、本考案と関連した公知の技術に対する具体的な説明が本考案の要旨を不要に曖昧にさせ得ると判断される場合には、その詳細な説明を省略することにする。そして、後述される用語は本考案での機能を考慮して定義された用語であって、これは使用者、運用者の意図または慣例などにより変わり得る。したがって、その定義は本明細書全般に亘った内容に基づいて下されるべきである。
【００２１】
本考案の技術的思想は実用新案登録請求の範囲によって決定され、以下の実施例は本考案の技術的思想を本考案が属する技術分野で通常の知識を有する者に効率的に説明するための一手段に過ぎないものである。
【００２２】
図１および図２は本考案の一実施例に係る財布型携帯用傘を示した図面であり、図３は本考案の一実施例に係る収納部を示した図面であり、図４は本考案の一実施例に係る結合ユニットを示した図面であり、図５は本考案の一実施例に係るカバー部がグリップ部に巻き取られたことを示した図面である。
【００２３】
図１〜図５を参照すると、財布型携帯用傘１はケース１０、傘２０および結合ユニット３０を含むことができる。
【００２４】
ケース１０は傘２０（または日傘）を収納することができる。ケース１０は傘２０を収納できる収納空間を含む形態で形成され得る。一例として、ケース１０は直方体状で形成され得る。
【００２５】
ケース１０は収納部１１およびカバー部１２を含むことができる。
【００２６】
収納部１１は内部に傘２０が収納され得る内部空間が形成され、前面が開放された直方体状で形成され得る。収納部１１はポケットに入れることができるコンパクトな大きさおよび厚さで形成され得る。したがって、傘２０の使用時に収納部１１をポケットに保管することができる。
【００２７】
収納部１１は底部１１０、第１壁部１１１および第２壁部１１２を含むことができる。
【００２８】
底部１１０は底面をなし、内部空間に収容される傘２０を支持することができる。底部１１０は長方形で形成され得る。
【００２９】
第１壁部１１１は、底部１１０の互いに向かい合う辺にそれぞれ連結されて側壁を形成することができる。一例として、第１壁部１１１は底部１１０のより短い辺に連結される側壁であり得る。
【００３０】
第２壁部１１２は、底部１１０の互いに向かい合う辺にそれぞれ連結されるものの、両側の第１壁部１１１の間に連結され得る。一例として、第２壁部１１２は底部１１０のより長い辺に連結される側壁であり得る。
【００３１】
収納部１１は、軽くて形態を維持できるウレタン、ゴム、ラテックス、シリコン、プラスチックなどのような材質で、所定の強度を有するように製作され得る。
【００３２】
ここで、図３を参照すると、収納部１１は折り曲げ可能に形成され得る。
【００３３】
図３ａは収納部１１が折り曲げられる前の状態を示した図面であり、図３ｂは収納部１１の第１壁部１１１と第２壁部１１２が折り曲げられた状態を示した図面であり、図３ｃは収納部１１の底部１１０が折り曲げられた状態を示した図面である。
【００３４】
収納部１１で傘２０とカバー部１２を分離した状態で、収納部１１を折り曲げてポケットに容易に保管することができる。この時、収納部１１は軽くて形態を維持することができ、外力によって折り曲げ可能なウレタン、ゴム、ラテックス、シリコン、プラスチックなどのような材質で形成され得る。
【００３５】
図３のように収納部１１が折り曲げ可能に形成される場合、収納部１１はヒンジ１１３をさらに含むことができる。第１壁部１１１と第２壁部１１２のそれぞれはヒンジ１１３により底部１１０と連結されるものの、第１壁部１１１と第２壁部１１２が内部空間側に回動可能に連結され得る。
【００３６】
図３ｂに図示された通り、収納部１１を折り曲げる場合、ヒンジ１１３により連結されている第１壁部１１１を底部１１０と水平となるように内部空間側に回動させることができる。この後、第２壁部１１２を第１壁部１１１の上側に底部１１０と水平となるように内部空間側に回動させることができる。この状態で、図３ｃに図示された通り、底部１１０の長さ方向に沿って中心部を折り曲げて半分に折り畳むことができる。このような方法で、収納部１１を折り曲げてポケットに保管することができる。
【００３７】
本考案では、ヒンジ１１３により第１壁部１１１と第１壁部１１２が回動して内側空間に折り曲げられるものを例にして説明するが、これに限定されるものではない。また、図３ａに図示されたヒンジ１１３の形は一例として提示された形態に過ぎず、多様な形態で形成され得る。
【００３８】
一例として、第１壁部１１１と第２壁部１１２は底部１１０と分離され得る。第１壁部１１１と第２壁部１１２と底部１１０は互いに磁力を有する材質で形成され得る。第１壁部１１１と第２壁部１１２と底部１１０は磁力によって互いに固定され得る。それぞれ分離された第１壁部１１１、第２壁部１１２、底部１１０を図３ｂのように配置させて固定した後に、底部１１０を折り曲げることができる。
【００３９】
収納部１１は締結溝１１１１および締結突起１１１２を含むことができる。
【００４０】
締結溝１１１１は収納部１１の前面の上部に形成され得る。具体的には、締結溝１１１１は第２壁部１１２の前面の上部で複数の溝が上下方向に離隔して形成され得る。締結溝１１１１はカバー部１２の背面の上部に形成される結合突起１２１と向かい合う位置に形成され得る。一例として、締結溝１１１１は半円または四角状の溝であり得る。
【００４１】
締結突起１１１２は収納部１１の前面の下部に形成され得る。具体的には、締結突起１１１２は第２壁部１１２の前面の下部で複数の突起が上下方向に離隔して形成され得る。この時、締結突起１１１２はカバー部１２の背面の下部に形成される結合溝１２２と向かい合う位置に形成され得る。
【００４２】
カバー部１２は収納部１１に締結または分離されて、収納部１１の開放された前面を遮蔽または開放することができる。また、カバー部１２は結合ユニット３０により傘２０と締結可能に連結され得る。
【００４３】
カバー部１２が傘２０と締結された場合、傘２０が収納部１１に収納される時にカバー部１２は収納部１１と締結され、傘２０が収納部１１から引き出される時にカバー部１２は収納部１１と分離され得る。
【００４４】
カバー部１２はウレタン、ゴム、ラテックス、シリコンなどのようなフレキシブルな材質で形成され得る。このように、軟性の材質で形成されるカバー部１２の下部は、傘２０のグリップ部２３に回転可能に締結され得る。カバー部１２が収納部１１と分離された後、カバー部１２が傘２０の長さ方向と垂直に回転した状態でカバー部１２はグリップ部２３に巻き取られ得る。カバー部１２がグリップ部２３に巻き取られると、グリップ部２３の領域が増加してグリップ可能な領域が増加し得る。したがって、より良いグリップ感を提供することができる。
【００４５】
カバー部１２は結合突起１２１、結合溝１２２および固定溝１２３を含むことができる。
【００４６】
結合突起１２１はカバー部１２の背面の上部に形成され得る。すなわち、結合突起１２１は締結溝１１１１と向かい合う位置に形成され得る。結合突起１２１はカバー部１２の背面の上部で締結溝１１１１に対応する形状で突出形成され得る。
【００４７】
結合突起１２１が締結溝１１１１に挿入されることによりカバー部１２が収納部１１に締結され得、結合突起１２１が締結溝１１１１から離脱することによりカバー部１２が収納部１１から分離され得る。
【００４８】
結合溝１２２はカバー部１２の背面の下部に形成され得る。すなわち、結合溝１２２は締結突起１１１２と向かい合う位置で締結突起１１１２が挿入され得る形状で形成され得る。
【００４９】
結合溝１２２に締結突起１１１２が挿入されることによりカバー部１２が収納部１１に締結され得、結合溝１２２から締結突起１１１２が離脱することによりカバー部１２が収納部１１から分離され得る。
【００５０】
固定溝１２３はカバー部１２の前面の一部に形成され得る。固定溝１２３はカバー部１２の前面の一部において、カバー部１２の背面の上部に形成される結合突起１２１が挿入され得る溝の形状で形成され得る。
【００５１】
図５に図示された通り、カバー部１２が傘２０の長さ方向と垂直に回転した状態でカバー部１２がグリップ部２３に巻き取られる時、結合突起１２１が固定溝１２３に挿入されて巻き取られた状態を固定することができる。
【００５２】
ただし、固定溝１２３と結合突起１２１が突起と溝の形状によって締結される方式で説明したが、これに限定されず、ベルクロ（登録商標）または磁石のような固定可能な部材で締結されてもよい。
【００５３】
傘２０は傘地２１およびグリップ部２３を含むことができる。
【００５４】
傘地２１は骨２５に支持されて雨、雪を遮断する原反であり得る。また、傘地２１は伸縮性のあるスパン原反であり得る。
【００５５】
グリップ部２３はシャフト２２の下端に形成されて使用者が把持する部分であり得る。グリップ部２３は円柱状で形成されてカバー部１２が巻き取られる時にグリップ部２３の円柱状に沿って巻き取られ得る。
【００５６】
グリップ部２３にはカバー部１２が結合ユニット３０により回転可能に締結され得る。
【００５７】
結合ユニット３０はグリップ部２３とカバー部１２を着脱可能に締結することができる。結合ユニット３０は磁石部３１および着脱溝３２を含むことができる。
【００５８】
磁石部３１はカバー部１２でグリップ部２３と向かい合って締結される部分およびグリップ部２３のうちいずれか一方に固定され得る。
【００５９】
着脱溝３２はカバー部１２とグリップ部２３のうち、磁石部３１が設置されていない他方で磁石部３１と向かい合うように形成され得る。着脱溝３２は磁石部３１が挿入可能に形成され得る。この時、着脱溝３２の内部は磁石部３１と磁力が発生する金属などの材質で形成され得る。磁石部３１が着脱溝３２に挿入されて磁力によって固定されることによってグリップ部２３とカバー１２が固定され得る。
【００６０】
本考案では、磁石部３１がグリップ部２３に形成され、着脱溝３２がカバー部１２に形成されるものを例にして説明する。
【００６１】
以下では、前述した財布型携帯用傘１の使用方法について説明する。
【００６２】
図１のように、ケース１０に傘２０が収納された状態で、雨または雪が降ってきて傘２０を使用しようとする時、カバー部１２を収納部１１から分離して傘２０を収納部１１から離脱させることができる。収納部１１でカバー部１２と傘２０を分離した後、カバー部１２と傘２０の長さ方向が互いに垂直をなすように配置させた状態で、磁石部３１を着脱溝３２に挿入させて固定することができる。
【００６３】
次いで、シャフト２２を長く延長させた状態で、図５のようにグリップ部２３にカバー部１２を巻き取ることができる。カバー部１２の下部からグリップ部２３に巻き取られ、カバー部１２の巻き取りが完了する時、カバー部１２の背面の上部に形成された結合突起１２１がカバー部１２の前面の一部または前面の中間部分に形成された固定溝１２３に挿入されて、カバー部１２が巻き取られた状態が固定され得る。
【００６４】
このように、カバー部１２を傘２０のグリップ部２３に巻き取ることによって、カバー部１２の紛失を防止し、よりグリップ感が向上した傘２０を提供し、収納部１１は折り曲げてポケットに保管して紛失を防止することができる。
【００６５】
図６は、本考案の他の実施例に係る結合ユニットを示した図面である。
【００６６】
図６を参照すると、財布型携帯用傘１はケース１０、傘２０および結合ユニット３０を含むことができる。以下では、図１〜図４と異なる構成である結合ユニット３０についてのみ説明する。それ以外の同一構成についての説明は省略することにする。
【００６７】
結合ユニット３０は差し込み部３１０およびブロック部３２０を含むことができる。
【００６８】
差し込み部３１０はグリップ部２３の前面に固定され得る。差し込み部３１０は「┐」の形状で形成され、互いに向かい合う方向に折り曲げられて突出する翼部３１１を含むことができる。具体的には、差し込み部３１０の下部に形成される翼部３１１は前方に突出した後に上側に折り曲げられ、差し込み部３１０の上部に形成される翼部３１１は前方に突出した後に下側に折り曲げられて互いに向かい合うことができる。
【００６９】
差し込み部３１０はプラスチックで形成され得る。
【００７０】
ブロック部３２０はカバー部１２で差し込み部３１０と向かい合う部分に固定され、ブロック部３２０は翼部３１１がスライディング方式で挿入され得るように上部と下部にスライディング溝３２１が形成され得る。ブロック部３２０はプラスチックで形成され得る。
【００７１】
ブロック部３２０のスライディング溝３２１に翼部３１１がスライディング挿入されることによって、ブロック部３２０と差し込み部３１０が固定され得る。
【００７２】
図７は、本考案のさらに他の実施例に係る結合ユニットを示した図面である。
【００７３】
図７を参照すると、財布型携帯用傘１はケース１０、傘２０および結合ユニット３０を含むことができる。以下では、図１〜図４と異なる構成である結合ユニット３０についてのみ説明する。それ以外の同一構成についての説明は省略することにする。
【００７４】
結合ユニット３０は固定軸３１００および回転軸３２００を含むことができる。
【００７５】
固定軸３１００はグリップ部２３に固定されて前方に突出し得る。
【００７６】
回転軸３２００はカバー部１２で固定軸３１００と向かい合う部分に固定され、固定軸３１００に向かって突出形成され得る。回転軸３２００は固定軸３１００に回転可能に連結され得る。
【００７７】
このように、グリップ部２３に固定された固定軸３１００にカバー部１２に固定された回転軸３２００が回転可能に連結されることによって、カバー部１２は傘２０のグリップ部２３と回転可能に連結され得る。
【００７８】
したがって、傘２０を使う場合、回転軸３２００を通じてカバー部１２をグリップ部２３と直角となるように回転させた後、カバー部１２をグリップ部２３に巻き取ることができる。
【００７９】
図８は本考案の一実施例に係る傘を示した図面であり、図９は本考案の一実施例に係る傘の骨の配置を示した図面であり、図１０は本考案の一実施例に係るスプリング部を含む骨を拡大した図面である。
【００８０】
図８〜図１０を参照すると、傘２０は傘地２１、シャフト２２、グリップ部２３、石突２４、骨２５、スプレッダー２６およびスプリング部２８を含むことができる。本考案に係る傘２０は、いわゆるぺしゃんこ傘として知られている傘２０であって、断面が長方形の薄くて平たいシャフトを有する傘２０であり得る。平たいシャフトで形成された傘２０を折り畳んだ時、円筒形のシャフトを有する傘が折り畳まれた時の厚さよりも薄く折り畳まれ得る。
【００８１】
傘地２１は骨２５に支持されて雨や雪を遮断することができる。傘地２１は防水布のような防水およびスパン原反で形成され得る。
【００８２】
シャフト２２は傘２０の中心をなす長い棒である。ぺしゃんこ傘のシャフト２２は円筒状ではなく、厚さが薄くて断面が長方形に形成され得る。
【００８３】
グリップ部２３はシャフト２２の下端に形成されて使用者が把持する部分である。
【００８４】
石突２４はシャフト２２の上部に形成されて複数の骨２５が固定される中心である。ぺしゃんこ傘の石突２４は折り畳まれた傘の厚さを薄くするために、円形の代わりに幅が狭くて長い長方形の形態で形成され得る。
【００８５】
骨２５は複数個が石突２４に連結され得る。
【００８６】
円筒形のシャフトを有する傘２０の場合には一般的に複数の骨２５を等間隔で離隔させて配置するが、本考案で利用されるぺしゃんこ傘の場合には、石突２４と平行をなす骨２５と隣接した骨２５をさらに狭い間隔で配置する。
【００８７】
具体的には、骨２５は第１骨２５ａ、第２骨２５ｂ、第３骨２５ｃ、第４骨２５ｄ、第５骨２５ｅおよび第６骨２５ｆを含むことができる。
【００８８】
この時、第１骨２５ａと第４骨２５ｄが石突２４と平行をなし、石突２４を基準として互いに対称となるように配置され得る。
【００８９】
第２骨２５ｂは第１骨２５ａと角度ｘだけ離隔するように石突２４に連結され、第２骨２５ｂと対称となるように第５骨２５ｅが配置され得る。
【００９０】
第３骨２５ｃは第２骨２５ｂと角度ｘより大きい角度ｙだけ離隔するように石突２４に連結され、第３骨２５ｃと対称となるように第６骨２５ｆが配置され得る。
【００９１】
まとめると、第１骨２５ａと第２骨２５ｂの間は角度ｘだけ離隔し、第２骨２５ｂと第３骨２５ｃの間は角度ｘより大きい角度ｙだけ離隔される。換言すると、第１骨２５ａと第２骨２５ｂの間の距離Ａは第２骨２５ｂと第３骨２５ｃの間の距離Ｂより短い。
【００９２】
各骨２５は第１バー２５１、第２バー２５２および第３バー２５３を含むことができる。本実施例では３個のバーを含む３段傘を例にして説明するが、２段傘２０、３段傘２０、４段傘２０、５段傘２０等により骨の個数が決定され得るため、骨の個数は変形可能である。
【００９３】
第１バー２５１は石突２４と連結され得、第２バー２５２は第１バー２５１と回動可能に連結されて外側に延長され得、第３バー２５３は第２バー２５２と回動可能に連結されて外側に延長され得る。
【００９４】
スプレッダー２６は一端が骨２５と連結され、他端はシャフト２２と連結され得る。
【００９５】
具体的には、スプレッダー２６の他端はシャフト２２で上下に移動可能に締結されたリング２７に固定されて、リング２７の移動につれて他端がシャフト２２に沿って上下に移動することができる。
【００９６】
スプレッダー２６の他端がリング２７の上側移動によりシャフト２２の上部に移動すると、スプレッダー２６の第１バー２５１と連結された一端は第１バー２５１を外側に押し出して傘２０が広げられるようにする。その反対に、スプレッダー２６の他端がリング２７の下側移動によりシャフト２２の下部に移動すると、スプレッダー２６の第１バー２５１と連結された一端は第１バー２５１を内側に引きながら傘２０が折り畳まれるようにする。
【００９７】
図８を参照すると、スプレッダー２６は第１バー２５１の外側端部に連結され得る。
【００９８】
スプリング部２８は第１バー２５１の所定の長さに設置され得る。スプリング部２８が第１バー２５１に設置されることによって、第１バー２５１の長さが延長され得る。
【００９９】
具体的には、スプレッダー２６はスプリング部２８より第１バー２５１の外側端部に固定される。スプリング部２８は傘２０が広げられる前には圧縮された状態を維持していて、傘２０が広げられると膨張して傘２０の大きさを増加させることができる。
【０１００】
この状態で、スプレッダー２６の他端がシャフト２２の上部に移動して一端が外側方向に押されると、傘２０が広げられながら第１バー２５１に設置されたスプリング部２８が膨張し得る。スプリング部２８により第１バー２５１の長さが延長され得るため、傘２０の使用時には大きくして使用し、保管時にはコンパクトに保管することができる。換言すると、傘２０を折り畳んだ時はコンパクトなサイズの傘２０がスプリング部２８の膨張によって第１バー２５１の長さが延びて傘２０の使用時の大きさが大きくなり得る。
【０１０１】
このように、スプリング部２８により広げられる傘の全体の大きさが増加するにつれて傘地２１も延びなければならないため、傘地２１は伸縮性のある防水およびスパン原反で構成され得る。
【０１０２】
図１１は、本考案の一実施例に係るシリンダー部を含む骨を拡大した図面である。
【０１０３】
図１１を参照すると、傘２０は傘地２１、シャフト２２、グリップ部２３、石突２４、骨２５、スプレッダー２６およびシリンダー部２９を含むことができる。すなわち、図８〜図１０でスプリング部２８をシリンダー部２９に代替することができる。以下では、図８〜図１０と異なる構成であるシリンダー部２９についてのみ説明する。それ以外の同一構成についての説明は省略することにする。
【０１０４】
シリンダー部２９は第１バー２５１の外側端部に設置されるものの、シリンダー部２９の内部に第１バー２５１を引き入れまたは引き出し可能であるように設置され得る。このような場合、スプレッダー２６はシリンダー部２９に連結され得る。
【０１０５】
具体的には、傘２０が広げられる前にはシリンダー部２９の内部に第１バー２５１が引き入れられた状態となり得、傘２０が広げられるとシリンダー部２９が外側方向に移動しながら第１バー２５１がシリンダー部２９の外部に引き出され得る。
【０１０６】
スプレッダー２６の他端がシャフト２２の上部に移動して一端が外側方向に押されると、スプレッダー２６の一端が連結されたシリンダー部２９が外側に移動しながら第１バー２５１がシリンダー部２９から引き出され得る。このように、第１バー２５１にシリンダー部２９が設置されることによって、第１バー２５１が延びる長さを増加させることができる。
【０１０７】
したがって、傘２０を折り畳んだ時はコンパクトなサイズの傘２０が、シリンダー部２９により第１バー２５１の長さが延びることにより傘２０の使用時の大きさが大きくなり得る。
【０１０８】
以上、本考案の代表的な実施例を詳細に説明したが、本考案が属する技術分野で通常の知識を有する者は、前述した実施例に対して、本考案の範疇から逸脱しない限度内で多様に変形可能であることが理解できるであろう。したがって、本考案の権利範囲は説明された実施例に限定されて定まってはならず、後述する実用新案登録請求の範囲だけでなくこの実用新案登録請求の範囲と均等なものなどによって定められるべきである。
【符号の説明】
【０１０９】
１：財布型携帯用傘
１０：ケース
１１：収納部
１１０：底部
１１１：第１壁部
１１２：第２壁部
１１３：ヒンジ
１１１１：締結溝
１１１２：締結突起
１２：カバー部
１２１：結合突起
１２２：結合溝
１２３：固定溝
２０：傘
２１：傘地
２２：シャフト
２３：グリップ部
２４：石突
２５：骨
２５１：第１バー
２５２：第２バー
２５３：第３バー
２６：スプレッダー
２７：リング
２８：スプリング部
２９：シリンダー部
３０：結合ユニット
３１：磁石部
３２：着脱溝
３１０：差し込み部
３１１：翼部
３２０：ブロック部
３２１：スライディング溝
３１００：固定軸
３２００：回転軸
【図１】
0003227074.tif 000003
【図２】
0003227074.tif 000004
【図３】
0003227074.tif 000005
【図４】
0003227074.tif 000006
【図５】
0003227074.tif 000007
【図６】
0003227074.tif 000008
【図７】
0003227074.tif 000009
【図８】
0003227074.tif 000010
【図９】
0003227074.tif 000011
【図１０】
0003227074.tif 000012
【図１１】
0003227074.tif 000013